(57)【要約】【課題】パスワードを忘却した場合でもセキュリティを確保しつつパスワードを復元できるようにする。【解決手段】印字ラベル作成装置１のＣＰＵ２１２は、ログイン用の２次パスワードを新たに生成するステップＳ１２５と、ｎを１以上の整数として、ＲＡＭ２１３等に記憶保持されたパスワード変換表を新しい順にｎ個だけ読み出して用いることで当該新たな２次パスワードを付与可能な１次パスワードを新たに算出するステップＳ１３５及びステップＳ１４５と、ＲＡＭ２１３等から読み出されたパスワード変換表とは別のパスワード変換表を新たに生成するステップＳ１５０と、プラテンローラ６６及び印字ヘッド６１を制御し、新たな１次パスワード及び新たなパスワード変換表を被印字テープ３Ａに印字形成して印字ラベルＬを作成するステップＳ１５５と、を実行する。【選択図】図７
2014137638.tif 000002
【特許請求の範囲】
【請求項１】
被印字媒体を搬送させるための搬送手段と、
前記搬送手段により搬送される前記被印字媒体に対し、所望の印字を行う印字手段と、
操作信号を受け付ける操作信号入力手段と、
前記操作信号入力手段を介しログイン用の２次パスワードの操作信号入力がなされたことを契機に、通常モードから、所定のセキュリティを与えるセキュリティモードへと移行させる、第１モード移行手段と、
前記ログイン用の２次パスワードを生成する２次パスワード生成手段と、
前記２次パスワード生成手段により生成された２次パスワードを与えるための、１次パスワードを算出する１次パスワード算出手段と、
前記１次パスワードを前記２次パスワードへと変換するパスワード変換表を生成する変換表生成手段と、
前記変換表生成手段により前記パスワード変換表が生成されたことを契機に、当該生成されたパスワード変換表を対応する生成順に記憶保持可能な第１記憶手段と、
前記操作信号入力手段を介し所定のログアウト操作の信号入力がなされたことを契機に、前記セキュリティモードから前記通常モードへと移行させる、第２モード移行手段と、
を有する印刷装置であって、
前記第１モード移行手段により前記通常モードから前記セキュリティモードへ移行したことを契機に、前記２次パスワード生成手段を制御し、前記ログイン用の２次パスワードを新たに生成する、パスワード生成制御手段と、
前記パスワード生成制御手段により前記新たな２次パスワードが生成されたことを契機に前記１次パスワード算出手段を制御し、ｎを１以上の整数として、前記第１記憶手段に記憶保持された前記パスワード変換表を新しい順にｎ個だけ読み出して用いることで当該新たな２次パスワードを付与可能な前記１次パスワードを新たに算出する、１次パスワード算出制御手段と、
前記１次パスワード算出制御手段により前記新たな１次パスワードが算出されたことを契機に、前記変換表生成手段を制御し、前記第１記憶手段から読み出されたパスワード変換表とは別のパスワード変換表を新たに生成する、第１変換表生成制御手段と、
前記１次パスワード算出制御手段により前記新たな１次パスワードが算出され、かつ、前記第１変換表生成制御手段により前記新たなパスワード変換表が生成されたことを契機に、前記搬送手段及び前記印字手段を制御し、前記新たな１次パスワード及び前記新たなパスワード変換表を前記被印字媒体に印字形成する、印字制御手段と、
を有することを特徴とする印刷装置。
【請求項２】
請求項１記載の印刷装置において、
前記パスワード生成制御手段により前記新たな２次パスワードが生成された場合で、前記第１記憶手段に前記パスワード変換表が１つも記憶されていない初期状態であった場合に、前記変換表生成手段を制御して初期設定用のパスワード変換表を生成する、第２変換表生成制御手段を有し、
前記１次パスワード算出制御手段は、
前記１次パスワード算出手段を制御し、前記第２変換表生成制御手段により生成され前記第１記憶手段に記憶された前記初期設定用のパスワード変換表を読み出して用いることで、前記新たな２次パスワードを付与可能な前記１次パスワードを新たに算出し、
前記第１変換表生成制御手段は、
前記１次パスワード算出制御手段により前記新たな１次パスワードが算出されたことを契機に、前記変換表生成手段を制御し、前記第１記憶手段から読み出された前記初期設定用のパスワード変換表とは別のパスワード変換表を新たに生成し、
前記印字制御手段は、
前記１次パスワード算出制御手段により前記新たな１次パスワードが算出され、かつ、前記第１変換表生成制御手段により前記新たなパスワード変換表が生成されたことを契機に、前記搬送手段及び前記印字手段を制御し、前記新たな１次パスワード及び前記新たなパスワード変換表を１つの前記被印字媒体に印字形成するとともに、前記初期設定用のパスワード変換表を前記１つの被印字媒体と別の被印字媒体に印字形成する
ことを特徴とする印刷装置。
【請求項３】
請求項１又は請求項２記載の印刷装置において、
前記操作信号入力手段を介した指示信号入力によりマニュアル設定されたセキュリティレベル、若しくは、印刷装置の印字形成動作に係わる所定の指標量に応じて決定されたセキュリティレベル、に基づき、前記１次パスワード算出制御手段の制御により読み出される前記パスワード変換表の個数ｎを可変に設定する、変換表個数設定手段を有し、
前記１次パスワード算出制御手段は、
前記変換表個数設定手段によりｎが２以上に設定された場合には、前記新たな２次パスワードをｎ個の部分２次パスワードに区分し、それら区分されたｎ個の部分２次パスワードを前記ｎ個のパスワード変換表をそれぞれ用いることで付与可能なｎ個の部分１次パスワードからなる、前記１次パスワードを新たに算出し、
前記第１変換表制御手段は、
前記１次パスワード算出制御手段により前記新たな１次パスワードが算出されたことを契機に、前記変換表生成手段を制御し、前記第１記憶手段から読み出されたｎ個のパスワード変換表とは別の１個のパスワード変換表を新たに生成し、
前記印字制御手段は、
前記１次パスワード算出制御手段により前記新たな１次パスワードが算出され、かつ、前記第１変換表生成制御手段により前記新たなパスワード変換表が生成されたことを契機に、前記搬送手段及び前記印字手段を制御し、前記新たな１個のパスワード変換表、及び、前記ｎ個の部分１次パスワードからなる前記新たな１次パスワード、を備えた１つの被印字媒体を形成する
ことを特徴とする印刷装置。
【請求項４】
請求項３記載の印刷装置において、
前記印字制御手段は、
前記変換表個数設定手段によりｎが２以上に設定された場合には、前記搬送手段及び前記印字手段を制御し、各部分１次パスワードごとに互いに異なる印字態様で、且つ、各部分１次パスワードごとに対応する前記パスワード変換表と対応した印字態様となる前記ｎ個の部分１次パスワードを、前記１つの印字媒体に印字形成する
ことを特徴とする印刷装置。
【請求項５】
請求項１乃至請求項４のいずれか１項記載の印刷装置において、
前記印字制御手段の制御に基づき各被印字媒体に形成される、前記１次パスワード及び前記パスワード変換表を、各被印字媒体に関連づけて記憶する第２記憶手段と、
前記第２記憶手段の記憶内容に基づき、前記操作信号入力手段を介し行われた操作信号入力が、共通の１つの前記被印字媒体にそれぞれ関連づけられた前記１次パスワード及び前記パスワード変換表に基づくものであるか否か、を判定する判定手段と、
前記判定手段により、前記操作信号入力が前記共通の１つの被印字媒体にそれぞれ関連づけられた前記１次パスワード及び前記パスワード変換表に基づくもの、と判定された場合に、前記操作信号入力手段を介したそれ以降の操作信号入力の受付を禁止する、操作禁止手段と、
を有することを特徴とする印刷装置。
【発明の詳細な説明】
【技術分野】
【０００１】
本発明は、パスワードに関する情報の印刷を行う印刷装置に関する。
【背景技術】
【０００２】
例えば特許文献１には、記憶可能な一つのパスワードから変換表を用いていくつもの類推困難なパスワードを作成する技術が記載されている。
【先行技術文献】
【特許文献】
【０００３】
【特許文献１】特開２０１０−１４６５３９号公報
【発明の概要】
【発明が解決しようとする課題】
【０００４】
上記従来技術は、もとになる１つのパスワードを複数の変換表を用いて複数のパスワードを生成する手法であるが、使用者がそのパスワードを忘却してしまった場合にはパスワードを生成することができないという問題がある。一方、このようなパスワードの忘却に備えてパスワードと変換表を同一被印字媒体に形成すると、セキュリティ上の問題がある。
【０００５】
本発明の目的は、パスワードを忘却した場合でもセキュリティを確保しつつパスワードを復元することができる印刷装置を提供することにある。
【課題を解決するための手段】
【０００６】
上記目的を達成するために、本願発明は、被印字媒体を搬送させるための搬送手段と、前記搬送手段により搬送される前記被印字媒体に対し、所望の印字を行う印字手段と、操作信号を受け付ける操作信号入力手段と、前記操作信号入力手段を介しログイン用の２次パスワードの操作信号入力がなされたことを契機に、通常モードから、所定のセキュリティを与えるセキュリティモードへと移行させる、第１モード移行手段と、前記ログイン用の２次パスワードを生成する２次パスワード生成手段と、前記２次パスワード生成手段により生成された２次パスワードを与えるための、１次パスワードを算出する１次パスワード算出手段と、前記１次パスワードを前記２次パスワードへと変換するパスワード変換表を生成する変換表生成手段と、前記変換表生成手段により前記パスワード変換表が生成されたことを契機に、当該生成されたパスワード変換表を対応する生成順に記憶保持可能な第１記憶手段と、前記操作信号入力手段を介し所定のログアウト操作がなされたことを契機に、前記セキュリティモードから前記通常モードへと移行させる、第２モード移行手段と、を有する印刷装置であって、前記第１モード移行手段により前記通常モードから前記セキュリティモードへ移行したことを契機に、前記２次パスワード生成手段を制御し、前記ログイン用の２次パスワードを新たに生成する、パスワード生成制御手段と、前記パスワード生成制御手段により前記新たな２次パスワードが生成されたことを契機に前記１次パスワード算出手段を制御し、ｎを１以上の整数として、前記第１記憶手段に記憶保持された前記パスワード変換表を新しい順にｎ個だけ読み出して用いることで当該新たな２次パスワードを付与可能な前記１次パスワードを新たに算出する、１次パスワード算出制御手段と、前記１次パスワード算出制御手段により前記新たな１次パスワードが算出されたことを契機に、前記変換表生成手段を制御し、前記第１記憶手段から読み出されたパスワード変換表とは別のパスワード変換表を新たに生成する、第１変換表生成制御手段と、前記１次パスワード算出制御手段により前記新たな１次パスワードが算出され、かつ、前記第１変換表生成制御手段により前記新たなパスワード変換表が生成されたことを契機に、前記搬送手段及び前記印字手段を制御し、前記新たな１次パスワード及び前記新たなパスワード変換表を前記被印字媒体に印字形成する、印字制御手段と、を有することを特徴とする。
【０００７】
本願発明の印刷装置においては、被印字媒体を搬送させる搬送手段と、被印字媒体に対し印字を行う印字手段と、操作手段とが設けられている。また、この印刷装置には、通常モード及びセキュリティモードの２つのモードが備えられている。セキュリティモードへ移行するには、操作者が操作手段を介し所定のログイン用のパスワード（２次パスワード）を入力する必要がある。この２次パスワードは、２次パスワード生成手段により例えばログインごとに新たに生成される。
【０００８】
本願発明の印刷装置では、操作者による失念を防止するために、上記のようにして生成される２次パスワードの内容が、被印字媒体に印字形成される。しかしながら、２次パスワード全体をそのまま被印字媒体に印字形成すると、当該被印字媒体を第三者に見られたり拾得された場合に、セキュリティを確保するのが困難となるおそれがある。
【０００９】
そこで、本願発明では、上記２次パスワードを得るために、１次パスワードと、パスワード変換表とを用いる。１次パスワードに対し、パスワード変換表に記載の変換内容を当てはめることにより、２次パスワードを得ることができる。そして、本願発明では、上記２次パスワードを被印字媒体に印字形成するのに代えて、被印字媒体に、１次パスワードと、パスワード変換表と、が形成される。
【００１０】
すなわち、本願発明においては、操作者によるログイン操作（詳細は後述）に対応して第１モード移行手段によりセキュリティモードに移行する（以下、「Ｋ回目ログイン時」という）と、パスワード生成制御手段の制御に基づき２次パスワード生成手段が新たに（次回のＫ＋１回目ログイン用の）２次パスワードを生成する。
【００１１】
このとき、これ以前の印字形成動作により作成されたパスワード変換表が、既に記憶手段に記憶されている（詳細は後述）。上記Ｋ＋１回目ログイン用の２次パスワードの生成を契機に、１次パスワード算出制御手段の制御に基づき、１次パスワード算出手段がその時点での新しいパスワード変換表、すなわち上記Ｋ回目ログイン時より１回前のログイン時（以下、「Ｋ−１回目ログイン時」という）に生成されたパスワード変換表（詳細は後述）を記憶手段から読み出す。そして、１次パスワード算出手段は、当該Ｋ−１回目ログイン時のパスワード変換表に記載された変換内容を実行することで上記生成されたＫ＋１回目ログイン用の２次パスワードが得られるような、Ｋ＋１回目ログイン用の１次パスワードを算出する。
【００１２】
算出されたＫ＋１回目ログイン用の１次パスワードは、印字制御手段の制御により、被印字媒体に印字形成される。操作者は、この１次パスワードが形成された被印字媒体を取得することで、次の回であるＫ＋１回目のログインに向けて備えることとなる。
【００１３】
一方このとき、第１変換表生成制御手段の制御に基づき、変換表生成手段が、上記読み出されたパスワード変換表とは別のパスワード変換表（以下、「Ｋ回目ログイン時のパスワード変換表）を新たに生成する。この新たに生成されたパスワード変換表は、次のＫ＋１回目ログイン時に上記のようにして新しいパスワード変換表として読み出されるために上記記憶手段に記憶されるとともに、上記Ｋ＋１回目ログイン用の１次パスワードが形成される被印字媒体に当該１次パスワードと併せて印字形成される。セキュリティモードにおける利用が終了したら、操作者が所定のログアウト操作を行うことで、印刷装置は第２モード移行手段によって通常モードへと移行する。
【００１４】
その後、操作者が、再びセキュリティモードによる利用を行う場合（すなわちＫ＋１回目ログイン時）には、上記Ｋ回目ログイン時に上述のようにして被印字媒体に印字形成されたＫ＋１回目ログイン用の１次パスワードが用いられる。この１次パスワードを用いてこのＫ＋１回目のログインのための２次パスワードを得るためには、対応するパスワード変換表が必要である。当該パスワード変換表は、上述したように、Ｋ−１回目ログイン時において、上記同様にしてＫ回目ログイン用の１次パスワードとともに被印字媒体に印字形成され、操作者により既に取得されている。すなわち、操作者は、既にＫ−１回目ログイン時に取得した上記被印字媒体に形成されたＫ−１回目ログイン時の変換表の変換内容を、上記Ｋ回目ログイン時に取得した上記被印字媒体に形成されたＫ＋１回目ログイン用の１次パスワードに対し適用することで、Ｋ＋１回目ログイン用の２次パスワードを得ることができる。
【００１５】
この結果、操作者は、当該２次パスワードを操作手段を介して操作入力することで、Ｋ＋１回目のログインを実行し、第１モード移行手段によりセキュリティモードに移行することができる。
【００１６】
以上のようにして、本願発明においては、毎回新たに作成される、セキュリティモード移行用の第２パスワードに対応した、第１パスワード及びパスワード変換表を印字する。その際、次回ログイン用の第１パスワードと、次々回ログイン用のパスワード変換表とが同一被印字媒体に印字形成される。この結果、１次パスワード及びパスワード変換表を別々の被印字媒体に形成する場合のような媒体の無駄な消費を防止することができる。
【００１７】
その際、１つの被印字媒体に形成されている第１パスワードは次回ログイン用であるのに対しパスワード変換表は次々回ログイン用であることから、（同一ログイン時に使用する１次パスワード及びパスワード変換表が同一被印字媒体に形成される場合のような）セキュリティ上の問題を回避することができる。この結果、１つの被印字媒体が第三者に見られたり拾得された場合であっても、セキュリティモードに勝手に侵入されることはなく、セキュリティを確保することができる。また、１次パスワードは被印字媒体に形成されていることから、パスワードを忘却した場合でも、対応する１次パスワードとパスワード変換表が形成された２つの被印字媒体を用意することで２次パスワードを得ることができる。したがって、セキュリティを確保しつつパスワードを復元することができる。
【発明の効果】
【００１８】
本発明によれば、パスワードを忘却した場合でもセキュリティを確保しつつパスワードを復元することができる。
【図面の簡単な説明】
【００１９】
【図１】本発明の一実施形態の印字ラベル作成装置を備えたラベル生成システムを表すシステム構成図である。
【図２】印字ラベル作成装置の外観を表す斜視図である。
【図３】印字ラベル作成装置の全体構造を表す側断面図である。
【図４】印字ラベル作成装置の制御系を表す機能ブロック図である。
【図５】１次パスワードとパスワード変換表とが印字形成された印字ラベルの外観の一例を表す印字面側の平面図である。
【図６】印字ラベル作成装置のＣＰＵによって実行される制御内容を表すフローチャートである。
【図７】図６に示したセキュリティモード処理の詳細内容を表すフローチャートである。
【図８】複数のパスワード変換表を用いる場合で、且つ、セキュリティレベルが比較的低い場合の、１次パスワードとパスワード変換表とが印字形成された印字ラベルの外観の一例を表す印字面側の平面図である。
【図９】複数のパスワード変換表を用いる場合で、且つ、セキュリティレベルが比較的高い場合の、１次パスワードとパスワード変換表とが印字形成された印字ラベルの外観の一例を表す印字面側の平面図である。
【図１０】複数のパスワード変換表を用いる場合で、且つ、セキュリティレベルが手動設定される場合の、図６に示したセキュリティモード処理の詳細内容を表すフローチャートである。
【図１１】複数のパスワード変換表を用いる場合で、且つ、セキュリティレベルが自動決定される場合の、図６に示したセキュリティモード処理の詳細内容を表すフローチャートである。
【図１２】図１１に示したセキュリティレベル決定処理の詳細内容を表すフローチャートである。
【図１３】各部分１次パスワードごとに印字態様を異ならせる場合の、１次パスワードとパスワード変換表とが印字形成された印字ラベルの外観の一例を表す印字面側の平面図である。
【図１４】１つの共通の印字ラベルに形成された１次パスワード及びパスワード変換表を用いた場合を説明するための、印字ラベルの外観の一例を表す印字面側の平面図である。
【図１５】１つの共通の印字ラベルに形成された１次パスワード及びパスワード変換表を用いた場合の、印字ラベル作成装置のＣＰＵによって実行される制御内容を表すフローチャートである。
【発明を実施するための形態】
【００２０】
以下、本発明の一実施の形態を図面を参照しつつ説明する。
【００２１】
本実施形態の印字ラベル作成装置を備えたラベル生成システムを、図１により説明する。
【００２２】
図１に示すこのラベル生成システムＬＳにおいて、印字ラベル作成装置１（印刷装置に相当）は、後述のＬＡＮケーブル接続ジャック８１ｄ（後述の図４参照）を介し、通信回線ＮＷに接続されている。この通信回線ＮＷにはＰＣ１１８が接続されている。この結果、ラベル作成装置１とＰＣ１１８とは、互いに情報送受信可能となっている。上記ＰＣ１１８は、液晶ディスプレイ等の表示部１１８ａと、キーボードやマウス等の操作部１１８ｂと、を有している。上記印字ラベル作成装置１を用いて印字ラベルＬ（後述の図５等参照）を作成する際に、ＰＣ１１８によって印字内容を編集すること等が可能である。
【００２３】
＜外観概略構成＞
印字ラベル作成装置１の外観構成を図２を用いて説明する。なお、以下の説明において、前・後方向、左・右方向、上・下方向は、図２及び図３中に適宜示す矢印の方向を表す。
【００２４】
図２において、印字ラベル作成装置１は、フロントパネル６を備えた筐体２と、上カバーユニット５とを有している。これら筐体２及び上カバーユニット５は例えば樹脂製である。上カバーユニット５は、タッチパネル部５Ａと、略矩形状の液晶パネル部５Ｂと、操作ボタン部５Ｃと、を備えている。
【００２５】
上カバーユニット５は、後方端部において筐体２に回転軸部２ａ（後述する図３参照）を介して回動可能に接続されており、これにより上カバーユニット５は筐体２に対し開閉可能な構造となっている。なお、上カバーユニット５の下部には、上記筐体２の一部を構成する筐体カバー部２Ａが一体に構成されており、上カバーユニット５の開閉時には、筐体カバー部２Ａも一体となって開閉する。
【００２６】
液晶パネル部５Ｂは、後方端部においてタッチパネル部５Ａに回転軸部５ａ（後述する図３参照）を介して回動可能に接続されており、これにより液晶パネル部５Ｂはタッチパネル部５Ａに対し開閉可能な構造となっている。
【００２７】
操作ボタン部５Ｃは、上カバーユニット５の前方寄りの上面位置に設けられ、印字ラベル作成装置１の電源ボタン７Ａや、周辺機器作動状態を表示させるためのステータスボタン７Ｂ、フィードボタン７Ｃ等が配置されている。
【００２８】
筐体２の左右の両側壁には、解除つまみ１７が設けられている。この解除つまみ１７を上方に押し上げることによって、筐体２への上カバーユニット５の係止が解除され、上カバーユニット５が開放可能な状態となる。
【００２９】
フロントパネル６には、第１排出口６Ａと、当該第１排出口６Ａよりも下方側の部位に位置する第２排出口６Ｂとが、設けられている。また、フロントパネル６のうち第２排出口６Ｂを備えた部分は、例えば後述の被印字テープ３Ａの設置や排紙等の便宜を図るために、前方側へ回動可能な開閉蓋６Ｃとなっている。
【００３０】
第１排出口６Ａは、上カバーユニット５を閉じ状態としたときに、筐体２の前面側上縁部と上記上カバーユニット５の前面側下縁部とによって形成される。なお、上カバーユニット５の第１排出口６Ａ側における下縁部内側には、切断刃８が下方に向けて付設されている（後述する図３も参照）。
【００３１】
＜内部構造＞
次に、図３を用いて、本実施形態の印字ラベル作成装置１の内部構造を説明する。
【００３２】
図３に示すように、印字ラベル作成装置１は、筐体２の内部空間の後方に、凹状のロール収納部４を有している。ロール収納部４は、所望の幅の被印字テープ３Ａ（被印字媒体に相当）をロール状に巻回したロール３を、被印字テープ３Ａがロール上側より繰り出されるように収納する。
【００３３】
ロール３は、上記被印字テープ３Ａの巻回の軸線を、前後方向と直交する左右方向となる状態で、回転可能にロール収納部４に収納されている。
【００３４】
ロール３を構成する被印字テープ３Ａには、図３中拡大図中に示すように、例えば値札等に使用されるラベル台紙ＬＰが剥離材層３ｃ上に長手方向に沿って連続配置されている。すなわち、ラベル台紙ＬＰは、この例では２層構造となっており、印字ヘッド６１によって印字が形成される被印字層３ａと、粘着剤層３ｂと、の順で積層されている。そして、ラベル台紙ＬＰは、上記粘着剤層３ｂの粘着力により所定間隔おきに剥離材層３ｃの一方側の面に接着されている。すなわち、被印字テープ３Ａは、ラベル台紙ＬＰが接着された部分では被印字層３ａ、粘着剤層３ｂ、及び剥離材層３ｃの３層構造となっており（図３中拡大図参照）、ラベル台紙ＬＰが接着されていない部分（すなわちラベル台紙ＬＰ同士の間の部分）では、剥離材層３ｃのみの１層構造となっている。印字が完了したラベル台紙ＬＰは、最終的に剥離材層３ｃより剥がされることで印字ラベルＬとして所定の商品等の被着体に貼り付けられる。
【００３５】
ロール収納部４の底面部には、３つの支持ローラ５１，５２，５３が設けられている。支持ローラ５１〜５３は、被印字テープ３Ａを搬送させるためのプラテンローラ６６（搬送手段に相当）が回転駆動されてロール３より被印字テープ３Ａを引き出す際に、少なくとも２つのローラがロール３の外周面に接触することにより、従動的に回転してロール３を回転可能に支持する。これら３つの支持ローラは、ロール３に対する周方向位置がそれぞれ異なっており、前方から後方に向かって、ロール３の周方向に沿って、第１支持ローラ５１、第２支持ローラ５２、及び第３支持ローラ５３、の順に配置されている。これら第１〜第３支持ローラ５１〜５３は、上記左右方向（言い換えればロール幅方向）に複数の部分に分割されており、ロール幅に応じてロール３が搭載された部分だけが回転するようになっている。
【００３６】
一方、ロール収納部４にはまた、ロール３の右側の端面に接触して被印字テープ３Ａを左右方向（すなわちテープ幅方向）にガイドする第１ガイド部材（図示省略）と、ロール３の左側の端面に接触して被印字テープ３Ａを左右方向にガイドする第２ガイド部材（図示省略）と、が設けられている。これら両ガイド部材は、上記左右方向に沿って進退することで互いに遠近可能となっている。そして、ロール３に対し、第１ガイド部材が右側から接触するとともに第２ガイド部材が左側から接触することにより、ロール３を両側から挟み込みつつ、被印字テープ３Ａをガイドする。このように両ガイド部材は、左右方向に沿って進退可能に設けられていることから、収納したロール３の幅に応じて両ガイド部材を進退させ位置を調整することで、任意な幅のロール３に対し、両ガイド部材でロール３を挟み込み、被印字テープ３Ａの幅方向をガイドすることができる。
【００３７】
また、ロール収納部４の前方側における被印字テープ３Ａの搬送経路には、上記被印字テープ３Ａの所定の基準位置を光学的に検出するためのセンサユニット１００がロール３（被印字テープ３Ａ）の幅方向（すなわち上記左右方向）に沿って移動可能に設けられている。
【００３８】
＜プラテンローラ、印字ヘッド、及びその周辺構造＞
一方、上カバーユニット５の前端部下側には、プラテンローラ６６により搬送される被印字テープ３Ａに対し所望の印字を行う印字ヘッド６１（印字手段に相当）が設けられている。この印字ヘッド６１に上下方向に対向するように、筐体２の前端部上側に、上記プラテンローラ６６が設けられている。プラテンローラ６６のローラ軸６６Ａは、軸方向両端に設けたブラケット６５（図３参照）により回転自在に軸支されており、またローラ軸６６Ａの一方の軸端には、プラテンローラ６６を駆動するギア（図示省略）が固定されている。
【００３９】
このとき、プラテンローラ６６のローラ軸６６Ａに固定された上記ギアが、筐体２側の図示しないギア列に噛合し、ステッピングモータ等で構成される上記プラテンローラ用モータ２１１（後述の図４参照）によりプラテンローラ６６を回転駆動する。これにより、プラテンローラ６６は、ロール収納部４に収納されたロール３より被印字テープ３Ａを繰り出し、被印字テープ３Ａをそのテープ幅方向を左右方向とした姿勢で搬送する。
【００４０】
印字ヘッド６１は、被印字テープ３Ａの搬送方向と直交する方向に、複数個の発熱素子を備えている。印字ヘッド６１の発熱素子が設けられた面と対向する側に、上記プラテンローラ６６は配置されている。発熱素子には、印字すべきドットパターンデータに従って通電がなされ、これによって、ロール３から繰り出された被印字テープ３Ａ上に文字や図像等が印字される。印字ヘッド６１に設けられた各発熱素子の駆動は、後述する図４に示す印字ヘッド制御回路２１７によって行われる。
【００４１】
なお、上記ロール３は、上記ラベル台紙ＬＰが径方向外側となるように、被印字テープ３Ａがロール状に巻回されて構成されている。その結果、被印字テープ３Ａはラベル台紙ＬＰ側の面を上方とした状態でロール３の上側から繰り出され（図３中の破線参照）、被印字テープ３Ａの上側に配置された印字ヘッド６１によって印字形成される。
【００４２】
また、プラテンローラ６６よりも前方側には、剥離材層３ｃをプラテンローラ６６の下方側へ折り返すことで、剥離材層３ｃから上記被印字層３ａ及び粘着剤層３ｂを引き剥がすための、剥離板２００（図３参照）が設けられている。上記剥離板２００により剥離材層３ｃから引き剥がされた印字済みの被印字層３ａ及び粘着剤層３ｂは、剥離板２００のさらに前方側に位置する上記第１排出口６Ａを介し筐体２の外部へ排出される。切断刃８は、上記第１排出口６Ａを介し筐体２の外部へ排出される被印字層３ａ及び粘着剤層３ｂを、操作者が所望の位置で切断するのに用いられる。
【００４３】
一方、プラテンローラ６６の下方には、上記剥離板２００により下方側へ折り返された剥離材層３ｃを、当該プラテンローラ６６との間に挟み込んで搬送するピンチローラ２０１が設けられている。上記ピンチローラ２０１により搬送された上記剥離材層３ｃは、上記第２排出口６Ｂから、筐体２の外部へ排出される。
【００４４】
＜被印字テープの搬送の概略＞
上記構成において、上カバーユニット５が閉じられ、上記プラテンローラ用モータ２１１によりプラテンローラ６６が回転駆動されると、被印字テープ３Ａが引っ張られる。これにより、上記ガイド部材により幅方向をガイドされつつ、被印字テープ３Ａがロール３から繰り出される。ロール３より繰り出された被印字テープ３Ａは、印字ヘッド６１によって印字された後、剥離板２００によりプラテンローラ６６の下方側へ折り返される。このとき、腰が強い被印字層３ａがこのような折返し経路に追従できないことを利用して、前述のように剥離材層３ｃから被印字層３ａ及び粘着剤層３ｂが引き剥がされる。このように剥離板２００により引き剥がされた被印字層３ａ及び粘着剤層３ｂ（言い換えればラベル台紙ＬＰ）は、第１排出口６Ａより筐体２の外部へ排出され、印字ラベルＬとして使用される。なお、図３では、ロール３より繰り出され搬送される被印字テープ３Ａの搬送経路を波線又は一点鎖線で示している。
【００４５】
＜制御系＞
次に、図４を用いて、印字ラベル作成装置１の制御系について説明する。
【００４６】
図４において、印字ラベル作成装置１には、所定の演算を行う演算部を構成するＣＰＵ２１２が備えられている。ＣＰＵ２１２は、ＲＡＭ２１３及びＲＯＭ２１４に接続されている。ＣＰＵ２１２は、ＲＡＭ２１３の一時記憶機能を利用しつつＲＯＭ２１４に予め記憶されたプログラムに従って信号処理を行い、それによって印字ラベル作成装置１全体の制御を行う。このとき、ＲＯＭ２１４には、後述する制御処理（セキュリティモード処理等）を実行するための制御プログラム（後述の図６等参照）が記憶されている。このＣＰＵ２１２は、上記プラテンローラ６６を駆動する上記プラテンローラ用モータ２１１の駆動制御を行うモータ駆動回路２１６と、上記印字ヘッド６１の発熱素子の通電制御を行う印字ヘッド制御回路２１７と、に接続されている。
【００４７】
さらに、ＣＰＵ２１２には、上記液晶パネル部５Ｂ及び上記タッチパネル部５Ａと、シリアル接続ジャック８１ｂと、第１ＵＳＢ接続ジャック８１ｃと、ＬＡＮケーブル接続ジャック８１ｄと、第２ＵＳＢ接続ジャック８１ｅと、が接続されている。この例では、印字ラベル作成装置１は、ＣＰＵ２１２がＬＡＮケーブル接続ジャック８１ｄを介して上記通信回線ＮＷに接続されることで、ＰＣ１１８に対し情報送受信可能に接続される。
【００４８】
ＲＯＭ２１４には、印刷される文字や記号等の印字データ（ドットパターン）がコードデータと対応させて記憶されており、ＣＰＵ２１２は、この記憶された印字データを用いて、上記印字ラベルＬの印字領域に印字するための印字データを生成する。ＣＰＵ２１２は、プラテンローラ６６により被印字テープ３Ａを繰り出しつつ、生成された印字データに従って印字ヘッド制御回路２１７を介し印字ヘッド６１により印刷を行わせ、印字ラベルＬを作成する。
【００４９】
＜本実施形態の要部＞
本実施形態の要部は、操作者がパスワードを失念した場合のために、真のパスワードを導き出すための仮のパスワードとパスワード変換表を印字ラベルＬに印字する場合において、パスワードとパスワード変換表を異なる印字ラベルＬに印字することで、１つの印字ラベルＬが第三者に見られたり拾得された場合であっても、セキュリティを確保できるようにすることにある。以下、その詳細を順を追って説明する。
【００５０】
上述した印字ラベル作成装置１には、通常モード及びセキュリティモードの２つのモードが備えられている。セキュリティモードは所定のセキュリティを与えるモードであり、例えば印字ラベル作成装置１を管理する管理者が存在する場合に、当該管理者のみがログインすることが可能な管理者設定モード等が一例として挙げられる。このセキュリティモードへ移行するには、操作者がＰＣ１１８の操作部１１８ｂや印字ラベル作成装置１のタッチパネル部５Ａ等（以下、「操作部１１８ｂ，５Ａ等」という）を介し所定のログイン用のパスワード（以下、「２次パスワード」という）を入力する必要がある。この２次パスワードは、セキュリティモードへの移行後に操作者の操作に応じて新たに生成される。
【００５１】
本実施形態の印字ラベル作成装置１では、操作者による失念を防止するために、上記のようにして生成される２次パスワードの内容が、印字ラベルＬに印字形成される。しかしながら、２次パスワード全体をそのまま印字ラベルＬに印字形成すると、当該印字ラベルＬを第三者に見られたり拾得された場合に、セキュリティを確保するのが困難となるおそれがある。
【００５２】
そこで、本実施形態では、上記２次パスワードを得るために、仮のパスワードと、パスワード変換表とを用いる。仮のパスワード（以下、「１次パスワード」という）は、当該１次パスワードに対し、パスワード変換表に記載の変換内容を当てはめることにより、２次パスワードを得ることができるものである。そして、本実施形態では、上記２次パスワードを印字ラベルＬに印字形成するのに代えて、印字ラベルＬに、１次パスワードとパスワード変換表とが印字形成される。
【００５３】
図５に、１次パスワードとパスワード変換表とが印字形成された印字ラベルＬの一例を示す。図中の回数は、セキュリティモードへのログインの回数を示している。詳細は後述するが、初回はそれ以前に生成されたパスワード変換表が印字ラベル作成装置１又はＰＣ１１８に記憶されていないため、図５に示すように、初期設定用のパスワード変換表ＴＢ０が印字された印字ラベルＬ０と、パスワード変換表ＴＢ０とは異なるパスワード変換表ＴＢ１及び１次パスワードＰＡ１が印字された印字ラベルＬ１とが作成される。図５に示す例では、各パスワード変換表ＴＢにおいて、変換させるアルファベットと数字とが上下に対応して配置されている。すなわちこの例では、１次パスワードＰＡ１は「ＳＮＱＴ」であり、当該１次パスワードに対して対応するパスワード変換表ＴＢ０に記載の変換内容を当てはめることにより、２次パスワード「６２９４」を得ることができる。この２次パスワードは次回ログイン（この例では２回目のログイン）用である。
【００５４】
一方、印字ラベルＬ１に印字されたパスワード変換表ＴＢ１は、２回目のログイン時に作成される印字ラベルＬ２に印字された１次パスワードＰＡ２に対応している。すなわちこの例では、１次パスワードＰＡ２は「ＴＡＲＹ」であり、当該１次パスワードに対して対応するパスワード変換表ＴＢ１に記載の変換内容を当てはめることにより、２次パスワード「４５０１」を得ることができる。この２次パスワードは次回ログイン（この例では３回目のログイン）用である。
【００５５】
同様に、印字ラベルＬ２に印字されたパスワード変換表ＴＢ２は、３回目のログイン時に作成される印字ラベルＬ３に印字された１次パスワードＰＡ３に対応している。すなわちこの例では、１次パスワードＰＡ３は「ＱＰＺＫ」であり、当該１次パスワードに対して対応するパスワード変換表ＴＢ２に記載の変換内容を当てはめることにより、２次パスワード「４６９０」を得ることができる。この２次パスワードは次回ログイン（この例では４回目のログイン。図示省略）用である。４回目以降のログイン時についても上記と同様である。
【００５６】
なお、図５に示す例では各印字ラベルＬにラベルの生成順を示す通し番号Ｎが印字されている。これにより、１次パスワードとパスワード変換表との対応付けを明確化することができ、操作者の利便性を向上することが可能であるが、セキュリティを高めるために通し番号Ｎを印字しないようにしてもよい（後述の図８、図９等も同様）。
【００５７】
＜制御内容＞
上記内容を実現するために、印字ラベル作成装置１のＣＰＵ２１２によって実行される制御内容を、図６及び図７を用いて説明する。
【００５８】
図６において、例えば操作者により印字ラベル作成装置１の電源がオンにされることによって、このフローが開始される（「ＳＴＡＲＴ」位置）。
【００５９】
まずステップＳ１０で、ＣＰＵ２１２は、各種設定やパラメータ等の初期化を行う。
【００６０】
次にステップＳ２０で、ＣＰＵ２１２は、操作部１１８ｂ，５Ａ等から操作信号が入力されたか否かを判定する。操作信号が入力されるまでは判定が満たされず（Ｓ２０：ＮＯ）、ループ待機する。一方、操作信号が入力された場合には、判定が満たされ（Ｓ２０：ＹＥＳ）、ステップＳ３０に移る。なお、当該ステップＳ２０が各請求項記載の操作信号入力手段として機能する。
【００６１】
ステップＳ３０では、ＣＰＵ２１２は、上記入力された操作信号が、セキュリティモードへのログイン操作に対応するものか否かを判定する。操作信号がセキュリティモードへのログイン操作に対応しないものである場合には、判定が満たされず（Ｓ３０：ＮＯ）、ステップＳ４０に移る。ステップＳ４０では、ＣＰＵ２１２は、通常モード処理を実行する。通常モードは、セキュリティモード以外のモードであり、例えば管理者以外の印字ラベル作成装置１を使用する複数のユーザがログインすることが可能な各種の設定モード等が一例として挙げられる。また、通常モード処理はこの通常モードにおいて行われる処理であり、例えば印字態様の設定処理等である。その後、上記ステップＳ２０に戻る。一方、操作信号がセキュリティモードへのログイン操作に対応するものである場合には、判定が満たされ（Ｓ３０：ＹＥＳ）、ステップＳ５０に移る。
【００６２】
ステップＳ５０では、ＣＰＵ２１２は、操作者により操作部１１８ｂ，５Ａ等から入力されたパスワードを受け付ける。ここでのパスワードは、上述した２次パスワードである。
【００６３】
その後ステップＳ６０で、ＣＰＵ２１２は、上記入力されたパスワードが正しいか否かを判定する。パスワードが正しくない場合には、判定が満たされず（Ｓ６０：ＮＯ）、上記ステップＳ２０に戻る。一方、パスワードが正しい場合には、判定が満たされ（Ｓ６０：ＹＥＳ）、ステップＳ１００に移り、ＣＰＵ２１２はセキュリティモードに移行（ログイン）し、セキュリティモード処理を実行する。その後、ステップＳ２０に戻る。なお、ステップＳ１００において、ＣＰＵ２１２は、操作部１１８ｂ，５Ａ等を介しログイン用の２次パスワードの操作信号入力がなされたことを契機に、通常モードから、所定のセキュリティを与えるセキュリティモードへと移行させることから、当該ステップＳ１００が各請求項記載の第１モード移行手段として機能する。以上で本フローの説明を終了する。
【００６４】
次に図７を用いて、上記図６のステップＳ１００の詳細手順を説明する。
【００６５】
まずステップＳ１０５で、ＣＰＵ２１２は、操作部１１８ｂ，５Ａ等から操作信号が入力されたか否かを判定する。操作信号が入力されるまでは判定が満たされず（Ｓ１０５：ＮＯ）、ループ待機する。一方、操作信号が入力された場合には、判定が満たされ（Ｓ１０５：ＹＥＳ）、ステップＳ１１０に移る。
【００６６】
次にステップＳ１１０で、ＣＰＵ２１２は、上記入力された操作信号が、パスワードの印刷に対応するものか否かを判定する。操作信号がパスワードの印刷に対応しないものである場合には、判定が満たされず（Ｓ１１０：ＮＯ）、ステップＳ１１５に移る。
【００６７】
ステップＳ１１５では、ＣＰＵ２１２は、操作部１１８ｂ，５Ａ等からセキュリティモードの終了（ログアウト）に対応する操作信号が入力されたか否かを判定する。セキュリティモードの終了に対応する操作信号が入力された場合には、判定が満たされ（Ｓ１１５：ＹＥＳ）、本ルーチンを終了する。なお、当該ステップＳ１１５において、ＣＰＵ２１２は、操作部１１８ｂ，５Ａ等を介し所定のログアウト操作がなされたことを契機に、セキュリティモードから通常モードへと移行させることから、当該ステップＳ１１５が各請求項記載の第２モード移行手段として機能する。一方、セキュリティモードの終了に対応しない操作信号が入力された場合には、判定が満たされず（Ｓ１１５：ＮＯ）、ステップＳ１２０に移る。
【００６８】
ステップＳ１２０では、ＣＰＵ２１２は、後述するパスワードの印刷以外の処理を実行する。そして、ステップＳ１０５に戻る。
【００６９】
一方、先のステップＳ１１０において、操作信号がパスワードの印刷に対応したものである場合には、判定が満たされ（Ｓ１１０：ＹＥＳ）、ステップＳ１２５に移る。
【００７０】
ステップＳ１２５では、ＣＰＵ２１２は、通常モードからセキュリティモードへ移行したことを契機に、ログイン用の２次パスワードを生成する２次パスワード生成部（図示省略。２次パスワード生成手段に相当）を制御して次回ログイン用の２次パスワードを新たに生成する。２次パスワードは、前述の図５に示す例では４桁の数字としたが、これに限定されるものではなく、数字の他アルファベットや記号、あるいはこれらを結合させたものでもよい。当該ステップＳ１２５が各請求項記載のパスワード生成制御手段として機能する。
【００７１】
次にステップＳ１３０で、ＣＰＵ２１２は、パスワード変換表がＲＡＭ２１３やＰＣ１１８のメモリ、ハードディスク等（以下、「ＲＡＭ２１３等」という）に記憶されているか否かを判定する。後述のステップＳ１５０においてパスワード変換表が生成されると、生成されたパスワード変換表は対応する生成順にＲＡＭ２１３等（第１記憶手段に相当）に記憶保持されることから、一度でもパスワード印刷が行われている場合にはＲＡＭ２１３等にパスワード変換表が記憶されているので、判定が満たされ（Ｓ１３０：ＹＥＳ）、ステップＳ１３５に移る。
【００７２】
ステップＳ１３５では、ＣＰＵ２１２は、ＲＡＭ２１３等から直近に生成された１つのパスワード変換表を読み出す。前述の図５に示す、２回目ログイン時におけるパスワード変換表ＴＢ１、３回目ログイン時におけるパスワード変換表ＴＢ２が、ここで言う直近に生成された１つのパスワード変換表の一例に該当する。その後、後述のステップＳ１４５に移る。
【００７３】
一方、上記ステップＳ１３０において、ＲＡＭ２１３等にパスワード変換表が１つも記憶されていない初期状態であった場合（すなわち第１回目にログインする際）には、判定が満たされず（Ｓ１３０：ＮＯ）、ステップＳ１４０に移る。
【００７４】
ステップＳ１４０では、ＣＰＵ２１２は、後述する変換表生成部を制御して初期設定用のパスワード変換表を生成する。前述の図５に示すパスワード変換表ＴＢ０がここで言う初期設定用のパスワード変換表の一例に該当する。当該ステップＳ１４０が各請求項記載の第２変換表生成制御手段として機能する。その後、ステップＳ１４５に移る。
【００７５】
ステップＳ１４５では、ＣＰＵ２１２は、上記ステップＳ１２５により新たな２次パスワードが生成されたことを契機に、上記２次パスワード生成部により生成された２次パスワードを与えるための１次パスワードを算出する１次パスワード算出部（図示省略。１次パスワード算出手段に相当）を制御し、上記ステップＳ１３５で読み出したパスワード変換表又は上記ステップＳ１４０で生成したパスワード変換表を用いて、上記ステップＳ１２５で生成した２次パスワードを付与可能な１次パスワードを新たに算出する。具体的には、前述の図５に示す初回ログイン時において、２次パスワード「６２９４」からパスワード変換表ＴＢ０を当てはめることにより１次パスワードＰＡ１の「ＳＮＱＴ」を算出したり、２回目のログイン時において２次パスワード「４５０１」からパスワード変換表ＴＢ１を当てはめることにより１次パスワードＰＡ２の「ＴＡＲＹ」を算出する。なお、上記ステップＳ１３５及び当該ステップＳ１４５が各請求項記載の１次パスワード算出制御手段として機能する。
【００７６】
次にステップＳ１５０で、ＣＰＵ２１２は、上記ステップＳ１４５において１次パスワード算出部により新たな１次パスワードが算出されたことを契機に、１次パスワードを２次パスワードへと変換するパスワード変換表を生成する変換表生成部（図示省略。変換表生成手段に相当）を制御し、上記ステップＳ１３５で読み出したパスワード変換表又は上記ステップＳ１４０で生成したパスワード変換表とは別のパスワード変換表を新たに生成する。新たに生成されたパスワード変換表は、生成順にＲＡＭ２１３等に記憶保持される。具体的には、前述の図５に示す初回ログイン時においてパスワード変換表ＴＢ１を生成し、２回目のログイン時においてパスワード変換表ＴＢ２を生成する。なお、当該ステップＳ１５０が各請求項記載の第１変換表生成制御手段として機能する。
【００７７】
次にステップＳ１５５で、ＣＰＵ２１２は、上記ステップＳ１４５により新たな１次パスワードが算出され、かつ、上記ステップＳ１５０により新たなパスワード変換表が生成されたことを契機に、プラテンローラ６６及び印字ヘッド６１を制御し、新たな１次パスワード及び新たなパスワード変換表を被印字テープ３Ａに印字形成して印字ラベルＬを作成する。なお、当該ステップＳ１５５が各請求項記載の印字制御手段として機能する。その後、先のステップＳ１０５に戻る。以上で本フローの説明を終了する。
【００７８】
＜本実施形態の効果＞
以上説明したように、本実施形態においては、操作者によるログイン操作に対応してセキュリティモードに移行する（以下、「Ｋ回目ログイン時」という）と、操作者によるパスワード印刷操作に対応して新たに（次回のＫ＋１回目ログイン用の）２次パスワードが生成される。
【００７９】
このとき、これ以前の印字形成動作により作成されたパスワード変換表が、既にＲＡＭ２１３等に記憶されている。上記Ｋ＋１回目ログイン用の２次パスワードの生成を契機に、その時点での新しいパスワード変換表、すなわち上記Ｋ回目ログイン時より１回前のログイン時（以下、「Ｋ−１回目ログイン時」という）に生成されたパスワード変換表がＲＡＭ２１３等から読み出される。そして、当該Ｋ−１回目ログイン時のパスワード変換表に記載された変換内容を実行することで上記生成されたＫ＋１回目ログイン用の２次パスワードが得られるような、Ｋ＋１回目ログイン用の１次パスワードが算出される。
【００８０】
算出されたＫ＋１回目ログイン用の１次パスワードは、上記ステップＳ１５５において、印字ラベルＬに印字形成される。操作者は、この１次パスワードが形成された印字ラベルＬを取得することで、次の回であるＫ＋１回目のログインに向けて備えることとなる。
【００８１】
一方このとき、上記ステップＳ１５０において、上記読み出されたパスワード変換表とは別のパスワード変換表（以下、「Ｋ回目ログイン時のパスワード変換表）が新たに生成される。この新たに生成されたパスワード変換表は、次のＫ＋１回目ログイン時に上記のようにして新しいパスワード変換表として読み出されるために上記ＲＡＭ２１３等に記憶されるとともに、上記Ｋ＋１回目ログイン用の１次パスワードが形成される印字ラベルＬに当該１次パスワードと併せて印字形成される。セキュリティモードにおける利用が終了したら、操作者が所定のログアウト操作を行うことで、印字ラベル作成装置１は通常モードへと移行する。
【００８２】
その後、操作者が、再びセキュリティモードによる利用を行う場合（すなわちＫ＋１回目ログイン時）には、上記Ｋ回目ログイン時に上述のようにして印字ラベルＬに印字形成されたＫ＋１回目ログイン用の１次パスワードが用いられる。この１次パスワードを用いてこのＫ＋１回目のログインのための２次パスワードを得るためには、対応するパスワード変換表が必要である。当該パスワード変換表は、上述したように、Ｋ−１回目ログイン時において、上記同様にしてＫ回目ログイン用の１次パスワードとともに印字ラベルＬに印字形成され、操作者により既に取得されている。すなわち、操作者は、既にＫ−１回目ログイン時に取得した上記印字ラベルＬに形成されたＫ−１回目ログイン時の変換表の変換内容を、上記Ｋ回目ログイン時に取得した上記印字ラベルＬに形成されたＫ＋１回目ログイン用の１次パスワードに対し適用することで、Ｋ＋１回目ログイン用の２次パスワードを得ることができる。この結果、操作者は、当該２次パスワードを操作部１１８ｂ，５Ａ等を介して入力することで、Ｋ＋１回目のログインを実行し、セキュリティモードに移行することができる。
【００８３】
以上のようにして、本実施形態においては、毎回新たに作成される、セキュリティモード移行用の２次パスワードに対応した、１次パスワード及びパスワード変換表を印字する。その際、次回ログイン用の１次パスワードと、次々回ログイン用のパスワード変換表とが同一の印字ラベルＬに印字形成される。この結果、１次パスワード及びパスワード変換表を別々の印字ラベルＬに形成する場合のような被印字テープの無駄な消費を防止することができる。
【００８４】
その際、１つの印字ラベルＬに形成されている１次パスワードは次回ログイン用であるのに対しパスワード変換表は次々回ログイン用であることから、同一ログイン時に使用する１次パスワード及びパスワード変換表が同一の印字ラベルＬに形成される場合のようなセキュリティ上の問題を回避することができる。この結果、１つの印字ラベルＬが第三者に見られたり拾得された場合であっても、セキュリティモードに勝手に侵入されることはなく、セキュリティを確保することができる。また、１次パスワードは印字ラベルＬに形成されていることから、パスワードを忘却した場合でも、対応する１次パスワードとパスワード変換表が形成された２つの印字ラベルＬを用意することで２次パスワードを得ることができる。したがって、セキュリティを確保しつつパスワードを復元することができる。
【００８５】
＜変形例＞
なお、本発明は、上記実施形態に限られるものではなく、その趣旨及び技術的思想を逸脱しない範囲内で種々の変形が可能である。以下、そのような変形例を順を追って説明する。
【００８６】
（１）複数のパスワード変換表を用いる場合（セキュリティレベル手動設定）
上記実施形態では、１つのパスワード変換表を用いて１次パスワードを２次パスワードに変換する場合を説明したが、複数のパスワード変換表を用いて１次パスワードを２次パスワードに変換するようにしてもよい。以下では、セキュリティレベルに応じてパスワード変換表の個数を可変とする場合を一例として説明する。
【００８７】
図８及び図９に、本変形例における１次パスワードとパスワード変換表とが印字形成された印字ラベルＬの一例を示す。図８は比較的セキュリティレベルが低い場合であり、２つのパスワード変換表を用いて１次パスワードを２次パスワードに変換する場合を示している。一方、図９は比較的セキュリティレベルが高い場合であり、４つのパスワード変換表を用いて１次パスワードを２次パスワードに変換する場合を示している。
【００８８】
図８に示すように、２つのパスワード変換表を用いて１次パスワードを２次パスワードに変換する場合、初期設定用のパスワード変換表ＴＢ０が印字された印字ラベルＬ０と、同じく初期設定用のパスワード変換表ＴＢ１が印字された印字ラベルＬ１と、パスワード変換表ＴＢ０，ＴＢ１とは異なるパスワード変換表ＴＢ２及び１次パスワードＰＡ１が印字された印字ラベルＬ２との、３つの印字ラベルＬが作成される。この例では、１次パスワードＰＡ１は「ＳＮＱＷ」であり、この１次パスワードＰＡ１はｎ個（この例ではｎ＝２）の部分（以下、「部分１次パスワード」という）「ＳＮ」「ＱＷ」に区分されている。一方の部分１次パスワード「ＳＮ」に対して対応するパスワード変換表ＴＢ０に記載の変換内容を当てはめることにより、ｎ個（この例ではｎ＝２）に区分された部分的な２次パスワード（以下、「部分２次パスワード」という）「６２」を得ることができる。また、他方の部分１次パスワード「ＱＷ」に対して対応するパスワード変換表ＴＢ１に記載の変換内容を当てはめることにより、部分２次パスワード「４３」を得ることができる。したがって、これら部分２次パスワード「６２」と「４３」からなる「６２４３」が２次パスワードを構成する。この２次パスワードは次回ログイン（この例では２回目のログイン）用である。
【００８９】
一方、印字ラベルＬ１に印字されたパスワード変換表ＴＢ１と、印字ラベルＬ２に印字されたパスワード変換表ＴＢ２とは、２回目のログイン時に作成される印字ラベルＬ３に印字された１次パスワードＰＡ２の２つの部分１次パスワードにそれぞれ対応している。すなわちこの例では、１次パスワードＰＡ２は「ＱＺＡＳ」であり、一方の部分１次パスワード「ＱＺ」に対して対応するパスワード変換表ＴＢ１に記載の変換内容を当てはめることにより、部分２次パスワード「４９」を得ることができ、他方の部分１次パスワード「ＡＳ」に対して対応するパスワード変換表ＴＢ２に記載の変換内容を当てはめることにより、部分２次パスワード「５６」を得ることができる。したがって２次パスワードは「４９５６」となる。３回目以降のログイン時についても上記と同様である。
【００９０】
図９示すように、４のパスワード変換表を用いて１次パスワードを２次パスワードに変換する場合、初期設定用のパスワード変換表ＴＢ０〜ＴＢ３がそれぞれ印字された印字ラベルＬ０〜Ｌ３と、パスワード変換表ＴＢ０〜ＴＢ３とは異なるパスワード変換表ＴＢ４及び１次パスワードＰＡ１が印字された印字ラベルＬ４との、５つの印字ラベルＬが作成される。この例では、１次パスワードＰＡ１は「ＳＨＱＵ」であり、この１次パスワードＰＡ１はｎ個（この例ではｎ＝４）の部分１次パスワード「Ｓ」「Ｈ」「Ｑ」［Ｕ］に区分されている。部分１次パスワード「Ｓ」に対して対応するパスワード変換表ＴＢ０に記載の変換内容を当てはめることにより、ｎ個（この例ではｎ＝４）に区分された部分２次パスワード「６」を得ることができる。同様にして、他の部分１次パスワード「Ｈ」「Ｑ」［Ｕ］に対して対応するパスワード変換表ＴＢ１，ＴＢ２，ＴＢ３に記載の変換内容をそれぞれ当てはめることにより、部分２次パスワード「７」「８」「１」を得ることができる。したがって、これら部分２次パスワード「６」「７」「８」「１」からなる「６７８１」が２次パスワードを構成する。この２次パスワードは次回ログイン（この例では２回目のログイン）用である。
【００９１】
一方、印字ラベルＬ１〜Ｌ４にそれぞれ印字されたパスワード変換表ＴＢ１〜ＴＢ４は、２回目のログイン時に作成される印字ラベルＬ５に印字された１次パスワードＰＡ２の４つの部分１次パスワードにそれぞれ対応している。すなわちこの例では、１次パスワードＰＡ２は「ＱＬＳＡ」であり、部分１次パスワード「Ｑ」に対して対応するパスワード変換表ＴＢ１に記載の変換内容を当てはめることにより、部分２次パスワード「４」を得ることができる。同様にして、他の部分１次パスワード「Ｌ」「Ｓ」［Ａ］に対して対応するパスワード変換表ＴＢ２〜ＴＢ４に記載の変換内容を当てはめることにより、部分２次パスワード「２」「０」「５」を得ることができる。したがって２次パスワードは「４２０５」となる。３回目以降のログイン時についても上記と同様である。
【００９２】
なお、上記図８及び図９に示すように、本変形例では２回目以降のログイン時に作成される印字ラベルＬの個数は１ずつであり、これに対応して新たな印字ラベルＬが作成されるごとに最も前に作成された印字ラベルＬが１つずつ不要となる。したがって、パスワードを印刷する度にｎ個の印字ラベルＬを作成する場合のような被印字テープの無駄な消費を防止することができる。
【００９３】
上記内容を実現するために、印字ラベル作成装置１のＣＰＵ２１２によって実行される制御内容を、図１０を用いて説明する。なお、図１０及び図１１において、前述の図７と同様の手順には同符号を付し、適宜説明を省略する。
【００９４】
図１０は、セキュリティレベルの変更を操作者が手動で行う場合のフローチャートである。図１０において、ステップＳ１０５が行われた後、ステップＳ１１０において判定が満たされない場合（Ｓ１１０：ＮＯ）、ステップＳ１１２に移る。
【００９５】
ステップＳ１１２では、ＣＰＵ２１２は、操作者による操作部１１８ｂ，５Ａ等を介したセキュリティレベルの変更に対応する指示入力があったか否かを判定する。セキュリティレベルの変更に対応した指示入力がない場合には、判定が満たされず（Ｓ１１２：ＮＯ）、ステップＳ１１５に移る。一方、セキュリティレベルの変更に対応した指示入力があった場合には、判定が満たされ（Ｓ１１２：ＹＥＳ）、ステップＳ１１４に移る。
【００９６】
ステップＳ１１４では、ＣＰＵ２１２は、上記ステップＳ１１２での指示入力に応じてセキュリティレベルを変更して設定する。その後、ステップＳ１０５に戻る。
【００９７】
一方、ステップＳ１１０において判定が満たされた場合（Ｓ１１０：ＹＥＳ）、ステップＳ１２３に移る。ステップＳ１２３では、ＣＰＵ２１２は、上記ステップＳ１１４において操作者の指示入力によりマニュアル設定されたセキュリティレベルに基づき、後述するステップＳ１３５Ａにより読み出されるパスワード変換表の個数ｎを可変に設定する。例えば前述の図８に示す例ではｎ＝２、前述の図９に示す例ではｎ＝４に設定される。なお、当該ステップＳ１２３が各請求項記載の変換表個数設定手段として機能する。
【００９８】
次に、ステップＳ１２５で、ＣＰＵ２１２は、次回ログイン用の２次パスワードを新たに生成する。その後、ステップＳ１３５Ａで、ＣＰＵ２１２は、ＲＡＭ２１３等から上記ステップＳ１２７で設定されたｎ個（直近に生成されたものからｎ個）のパスワード変換表を読み出す。前述の図８に示す、２回目ログイン時におけるパスワード変換表ＴＢ１，ＴＢ２や、図９に示す、２回目ログイン時におけるパスワード変換表ＴＢ１〜ＴＢ４が、ここで言う直近に生成されたｎ個のパスワード変換表の一例に該当する。
【００９９】
次にステップＳ１４５Ａで、ＣＰＵ２１２は、上記ステップＳ１２５で生成した新たな２次パスワードをｎ個の部分２次パスワードに区分し、それら区分されたｎ個の部分２次パスワードを上記ステップＳ１３５Ａで読み出したｎ個のパスワード変換表をそれぞれ用いることで付与可能なｎ個の部分１次パスワードからなる、１次パスワードを新たに算出する。具体的には、前述の図８に示す２回目ログイン時において、２個の部分２次パスワード「４９」「５６」からパスワード変換表ＴＢ１，ＴＢ２を当てはめることにより２個の部分１次パスワード「ＱＺ」「ＡＳ」からなる１次パスワード「ＱＺＡＳ」を算出したり、図９に示す２回目ログイン時において、４個の部分２次パスワード「４」「２」「０」「５」からパスワード変換表ＴＢ１〜ＴＢ４を当てはめることにより４個の部分１次パスワード「Ｑ」「Ｌ」「Ｓ」「Ａ」からなる１次パスワード「ＱＬＳＡ」を算出する。なお、上記ステップＳ１３５Ａ及び当該ステップＳ１４５Ａが各請求項記載の１次パスワード算出制御手段として機能する。
【０１００】
次にステップＳ１５０Ａで、ＣＰＵ２１２は、上記ステップＳ１４５Ａにより新たな１次パスワードが算出されたことを契機に、上記変換表生成部を制御し、ＲＡＭ２１３等から読み出されたｎ個のパスワード変換表とは別の１個のパスワード変換表を新たに生成する。なお、当該ステップＳ１５０Ａが各請求項記載の第１変換表生成制御手段として機能する。
【０１０１】
次にステップＳ１５３で、ＣＰＵ２１２は、セキュリティレベルの変更があったか否か、言い換えれば同じログイン時において上記ステップＳ１１２の判定が満たされ、ステップＳ１１４においてセキュリティレベルが変更設定されたか否かを判定する。セキュリティレベルの変更がない場合には、判定が満たされず（Ｓ１５３：ＮＯ）、ステップＳ１５５Ａに移る。
【０１０２】
ステップＳ１５５Ａでは、ＣＰＵ２１２は、上記ステップＳ１４５Ａにより新たな１次パスワードが算出され、かつ、上記ステップＳ１５０Ａにより新たなパスワード変換表が生成されたことを契機に、プラテンローラ６６及び印字ヘッド６１を制御し、新たな１個のパスワード変換表、及び、ｎ個の部分１次パスワードからなる新たな１次パスワードを備えた１つの印字ラベルＬを作成する。その後、ステップＳ１０５に戻る。
【０１０３】
一方、上記ステップＳ１５３においてセキュリティレベルの変更があった場合には、判定が満たされ（Ｓ１５３：ＹＥＳ）、ステップＳ１５５Ｂに移る。ステップＳ１５５Ａでは、ＣＰＵ２１２は、上記新たな１個のパスワード変換表、及び、ｎ個の部分１次パスワードからなる新たな１次パスワードを備えた１つの印字ラベルＬと、上記ステップＳ１３５Ａで読み出したｎ個のパスワード変換表をそれぞれ備えたｎ個の印字ラベルＬからなる、ｎ＋１個の印字ラベルＬを作成する。その後、ステップＳ１０５に戻る。なお、上記ステップＳ１５５Ａ及び当該ステップＳ１５５Ｂが各請求項記載の印字制御手段として機能する。以上で本フローの説明を終了する。
【０１０４】
なお、図１０では煩雑防止のため前述の図７のステップＳ１３０及びステップＳ１４０と同様の手順を省略したが、初回ログイン時には初期設定用のパスワード変換表が生成される。また、セキュリティモードの変更により、ＲＡＭ２１３等に記憶されたパスワード変換表の個数が不足する場合には、不足する分のパスワード変換表を生成してもよい。
【０１０５】
以上説明した変形例では、１次パスワードから２次パスワードを生成する際、２以上の整数であるｎ個の（言い換えれば複数の）パスワード変換表が用いられる。すなわち、２次パスワードはｎ個の部分２次パスワードによって構成され、また１次パスワードもｎ個の部分１次パスワードによって構成される。そして、各部分１次パスワードは、それぞれに対応する１つのパスワード変換表に記載された変換内容を適用することで、１つの部分２次パスワードに変換可能となる。このように、１つの１次パスワードから１つの２次パスワードを生成するときに、ｎ個に区分しつつｎ個のパスワード変換表を適用することにより、さらにセキュリティを向上することができる。
【０１０６】
このとき本変形例では、その変換に用いられるパスワード変換表の数（言い換えれば上記パスワードを区分する数）であるｎが、上記ステップＳ１２３により、セキュリティレベルに応じて可変に設定される。これにより、操作者の意図に応じた数に上記ｎを所望に設定したり、あるいは、印刷物の用途や印字ラベル作成装置１の利用態様に応じて上記ｎを適宜に設定することができる。この結果、操作者にとっての利便性を向上することができる。
【０１０７】
（２）複数のパスワード変換表を用いる場合（セキュリティレベル自動決定）
上記変形例（１）では、セキュリティレベルを操作者が手動で設定する場合を説明したが、セキュリティレベルを自動的に決定してもよい。
【０１０８】
上記内容を実現するために、印字ラベル作成装置１のＣＰＵ２１２によって実行される制御内容を、図１１及び図１２を用いて説明する。なお、図１１において、前述の図１０と同様の手順には同符号を付し、適宜説明を省略する。
【０１０９】
図１１が図１０と異なる点は、操作者の手動によるセキュリティレベルの変更設定手順であるステップＳ１１２及びステップＳ１１４の代わりに、セキュリティレベル決定処理であるステップＳ２００が加わった点である。すなわち、ステップＳ１０５が行われた後、ステップＳ１１０において判定が満たされた場合（Ｓ１１０：ＹＥＳ）、ステップＳ２００に移る。ステップＳ２００では、ＣＰＵ２１２は、印字ラベル作成装置１の印字形成動作に係わる所定の指標量等に応じてセキュリティレベルを決定するセキュリティレベル決定処理を実行する。その後は、前述の図１０と同様である。
【０１１０】
次に図１２を用いて、上記図１１のステップＳ２００の詳細手順を説明する。
【０１１１】
ステップＳ２１０では、ＣＰＵ２１２は、パスワードの入力間違いの頻度によりセキュリティレベルを決定する。具体的には、入力間違いの頻度が大きい場合にはセキュリティレベルを高くし、入力間違いの頻度が小さい場合にはセキュリティレベルを低く決定する。入力間違いの頻度が大きいほど進入しようとする者が多いと考えられるため、そのセキュリティレベルを高くすることにより、より実効的なセキュリティレベルの高低の決定を行うことができる。
【０１１２】
ステップＳ２２０では、ＣＰＵ２１２は、蓄積されているデータ量によりセキュリティレベルを決定する。具体的には、例えばＲＡＭ２１３等に記憶されたセキュリティに係わるデータ量が多い場合にはセキュリティレベルを高くし、データ量が少ない場合にはセキュリティレベルを低く決定する。この場合にも、より実効的なセキュリティレベルの高低の決定を行うことができる。
【０１１３】
ステップＳ２３０では、ＣＰＵ２１２は、印字ラベル作成装置１の使用頻度によりセキュリティレベルを決定する。具体的には、使用頻度が多い場合にはセキュリティレベルを高くし、使用頻度が少ない場合にはセキュリティレベルを低く決定する。使用頻度が多いほど装置の有用性が高いと考えられるため、そのセキュリティレベルを高くすることにより、より実効的なセキュリティレベルの高低の決定を行うことができる。
【０１１４】
ステップＳ２４０では、ＣＰＵ２１２は、設定されているパスワードの桁数によりセキュリティレベルを決定する。具体的には、パスワードの桁数が多い場合にはセキュリティレベルを高くし、桁数が少ない場合にはセキュリティレベルを低く決定する。パスワードの桁数が多いほど秘密性が高いと考えられるため、そのセキュリティレベルを高くすることにより、より実効的なセキュリティレベルの高低の決定を行うことができる。当該ステップＳ２４０の処理を実行する場合には、図１１に示すステップＳ１５３において、ＣＰＵ２１２はパスワードの桁数が変更されたか否かを判定する。
【０１１５】
上記ステップＳ２１０〜ステップＳ２４０のいずれの処理を実行するかは、例えば操作者が予め設定できるようになっている。以上で本フローの説明を終了する。
【０１１６】
本変形例においても、上述した変形例（１）と同様の効果を得る。また、セキュリティレベルが自動的に決定されるので、操作者が手動で設定する手間が省け、操作者の利便性を向上することができる。
【０１１７】
（３）各部分１次パスワードごとに印字態様を異ならせる場合
上記変形例（１）及び（２）のように複数のパスワード変換表を用いて１次パスワードを２次パスワードに変換する場合に、各部分１次パスワードごとに異なる印字態様としてもよい。例えば図１３に示すように、印字ラベルＬ２に形成された１次パスワードＰＡ１の各部分１次パスワードごとに対応するパスワード変換表と共に書体を異ならせてもよい。この例では、部分１次パスワード「ＳＮ」と対応するパスワード変換表ＴＢ０（のアルファベット部分）とが明朝体であり、部分１次パスワード「ＱＷ」と対応するパスワード変換表ＴＢ１（のアルファベット部分）とがゴシック体の斜字として印字されている。印字態様としては、書体に限らず、文字の色や大きさ等を異ならせてもよい。
【０１１８】
本変形例では、図１０又は図１１において、ステップＳ１２３によりｎが２以上に設定された場合に、ステップＳ１５５Ａ及びステップＳ１５５Ｂにおいて、ＣＰＵ２１２が、プラテンローラ６６及び印字ヘッド６１を制御し、各部分１次パスワードごとに互いに異なる印字態様となるｎ個の部分１次パスワードを、１つの印字ラベルＬに印字形成する。このようにして形成された印字ラベルＬが図１３に示す印字ラベルＬ２に該当する。
【０１１９】
上述のように、ｎ個の部分１次パスワードに区分された１次パスワードを、複数のパスワード変換表を用いてそれぞれ変換し、ｎ個の部分２次パスワードを得る場合、各部分１次パスワードの区分や、各部分１次パスワードと各パスワード変換表との対応付け等がわかりにくくなる可能性がある。そこで本変形例では、印字形成時において、各部分１次パスワードごとに互いに異なる印字態様となり、且つ、各部分１次パスワードごとに対応するパスワード変換表と同一の印字態様となるように、印字形成が行われる。これにより、上記の区分や対応付けを明確化することができ、操作者にとっての利便性を向上することができる。
【０１２０】
（４）同一ラベルのパスワードを用いた場合に操作入力をロックさせる場合
上述したように、正当な操作者が利用する際には、１次パスワードが印字形成された印字ラベルＬと、それより前の回のログイン時に印字形成された別の印字ラベルＬとの、２つの印字ラベルＬが必要である。したがって、図１４に示すように、１つの共通の印字ラベルＬに形成された１次パスワードＰＡ及びパスワード変換表ＴＢを用いたと推測される２次パスワードが操作部１１８ｂ，５Ａ等を介し入力された場合には、その入力は印字ラベルＬを拾得した第三者の不正利用である可能性が高い。そこで本変形例では、当該パスワードの入力が行われた場合には、それ以降、操作信号の入力ができなくなる（ロック状態）。
【０１２１】
本変形例では、ＲＡＭ２１３等（第２記憶手段に相当）に、各印字ラベルＬに形成される１次パスワード及びパスワード変換表が、各印字ラベルＬに関連づけて記憶されている。
【０１２２】
上記内容を実現するために、印字ラベル作成装置１のＣＰＵ２１２によって実行される制御内容を、図１５を用いて説明する。なお、図１５において、前述の図６と同様の手順には同符号を付し、適宜説明を省略する。
【０１２３】
図１５が図６と異なる点は、ステップＳ７０及びステップＳ８０が加わった点である。すなわち、ステップＳ１０〜ステップＳ５０が行われた後、ステップＳ６０において判定が満たされない場合（Ｓ６０：ＮＯ）、ステップＳ７０に移る。
【０１２４】
ステップＳ７０では、ＣＰＵ２１２は、ＲＡＭ２１３等の記憶内容に基づき、上記ステップＳ２０において行われた操作信号入力が、共通の１つの印字ラベルＬにそれぞれ関連づけられた１次パスワード及びパスワード変換表に基づくものであるか否かを判定する。１つの印字ラベルＬの１次パスワード及びパスワード変換表でない場合には、判定が満たされず（Ｓ７０：ＮＯ）、先のステップＳ１０に戻る。一方、１つの印字ラベルＬの１次パスワード及びパスワード変換表である場合には、判定が満たされ（Ｓ７０：ＹＥＳ）、ステップＳ８０に移る。なお、当該ステップＳ７０が各請求項記載の判定手段として機能する。
【０１２５】
ステップＳ８０では、ＣＰＵ２１２は、上記ステップＳ７０により、操作信号入力が、共通の１つの印字ラベルＬにそれぞれ関連づけられた１次パスワード及びパスワード変換表に基づくものと判定された場合に、上記ステップＳ２０によるそれ以降の操作信号入力の受付を禁止する。これにより、それ以降は上記ステップＳ２０において判定が満たされず（Ｓ２０：ＮＯ）、ステップＳ３０に移ることができなくなる。その結果、印字ラベル作成装置１の操作は禁止（ロック）される。なお、当該ステップＳ８０が各請求項記載の操作禁止手段として機能する。その後、先のステップＳ１０に戻る。以上で本フローの説明を終了する。
【０１２６】
本変形例によれば、第三者による不正利用を確実に防止することができる。また、本来の操作者が印字ラベル作成装置１がロック状態となったことを知ることで、第三者による不正利用が試みられたことを確実に認識することもできる。
【０１２７】
なお、以上において、図４等の各図中に示す矢印は信号の流れの一例を示すものであり、信号の流れ方向を限定するものではない。
【０１２８】
また、図６、図７等に示すフローチャートは本発明を上記フローに示す手順に限定するものではなく、発明の趣旨及び技術的思想を逸脱しない範囲内で手順の追加・削除又は順番の変更等をしてもよい。
【０１２９】
また、以上既に述べた以外にも、上記実施形態や各変形例による手法を適宜組み合わせて利用しても良い。
【０１３０】
その他、一々例示はしないが、本発明は、その趣旨を逸脱しない範囲内において、種々の変更が加えられて実施されるものである。
【符号の説明】
【０１３１】
１                印字ラベル作成装置（印刷装置）
３Ａ              被印字テープ（被印字媒体）
６１              印字ヘッド（印字手段）
６６              プラテンローラ（搬送手段）
２１３            ＲＡＭ（第１記憶手段、第２記憶手段）
【図１】
2014137638.tif 000003
【図２】
2014137638.tif 000004
【図３】
2014137638.tif 000005
【図４】
2014137638.tif 000006
【図５】
2014137638.tif 000007
【図６】
2014137638.tif 000008
【図７】
2014137638.tif 000009
【図８】
2014137638.tif 000010
【図９】
2014137638.tif 000011
【図１０】
2014137638.tif 000012
【図１１】
2014137638.tif 000013
【図１２】
2014137638.tif 000014
【図１３】
2014137638.tif 000015
【図１４】
2014137638.tif 000016
【図１５】
2014137638.tif 000017